【手続補正書】
【提出日】平成16年6月7日(2004.6.7)
【手続補正１】
【補正対象書類名】特許請求の範囲
【補正対象項目名】全文
【補正方法】変更
【補正の内容】
【特許請求の範囲】
【請求項１】
視認者による基礎表示画像の機密保護下での視認を提供するための画像変更装置であって、
ａ．  複数の画素を含むディスプレイと、
ｂ．  該ディスプレイに、前記画素のそれぞれに対応する複数の色成分を有する基礎画像を生成する手段と、
ｃ．  前記画素のそれぞれに対応する複数の合成色成分を含んで前記基礎画像がマスクされる合成画像を生成するために、前記基礎画像を変更する手段と、
ｄ．  前記色成分に対応する少なくとも１つのマスク用色成分と時間多重化される少なくとも１つの前記色成分を含む、それぞれの前記合成色成分と、
ｅ．  それぞれの前記画素に対応し、少なくとも１つの前記色成分が同一の前記画素に対応する残りの前記色成分と常に位相をずらして表示される表示シーケンスを有する前記複数の合成色成分と、
ｆ．  前記視認者のみによる視認のために、前記合成画像から前記基礎画像を抽出する手段と、
を含むことを特徴とする画像変更装置。
【請求項２】
それぞれの前記マスク用色成分は、該マスク用色成分に対応する前記色成分と同一の波長を有することを特徴とする請求項１に記載の画像変更装置。
【請求項３】
それぞれの前記マスク用色成分は、該マスク用色成分に対応する前記色成分の反転色成分から構成され、それによってほぼ特徴の無い前記合成画像が生成されることを特徴とする請求項１に記載の画像変更装置。
【請求項４】
それぞれの前記反転色成分は、対応する前記色成分の関数として決定される強度を有し、すべての前記色成分および該色成分に対応する前記反転色成分の前記強度の時間重み付き平均が、前記合成画像のそれぞれの前記合成色成分についてほぼ同一であることを特徴とする請求項３に記載の画像変更装置。
【請求項５】
それぞれの前記合成色成分は、前記色成分に対応する少なくとも１つの前記マスク用色成分と交互に時間多重化される少なくとも１つの前記色成分を含むことを特徴とする請求項１に記載の画像変更装置。
【請求項６】
それぞれの前記画素に対応する前記複数の合成色成分は、１つの前記合成色成分の少なくとも１つの前記色成分が同一の前記画素に対応する他の前記合成色成分の前記色成分と位相がずれているような、巡回的表示シーケンスを有することを特徴とする請求項５に記載の画像変更装置。
【請求項７】
それぞれの前記合成色成分は、前記色成分に対応する少なくとも１つの前記マスク用色成分とランダムに時間多重化される少なくとも１つの前記色成分を含むことを特徴とする請求項１に記載の画像変更装置。
【請求項８】
それぞれの前記合成色成分は、前記色成分に対応する少なくとも１つの前記マスク用色成分と順次的に時間多重化される少なくとも１つの前記色成分を含むことを特徴とする請求項１に記載の画像変更装置。
【請求項９】
それぞれの前記画素に対するそれぞれの前記合成色成分のそれぞれの前記色成分は、同一の前記画素に対応する他の前記合成色成分のそれぞれの前記色成分に引き続いて、対応する前記マスク用色成分と時間多重化されることを特徴とする請求項８に記載の画像変更装置。
【請求項１０】
それぞれの前記画素における前記複数の合成色成分は、１つの前記合成色成分の少なくとも１つの前記色成分が同一の前記画素に対応する他の前記合成色成分の前記色成分と位相がずれているような、巡回的表示シーケンスを有することを特徴とする請求項８に記載の画像変更装置。
【請求項１１】
それぞれの前記画素における前記複数の合成色成分は、１つの前記合成色成分の少なくとも１つの前記マスク用色成分が同一の前記画素に対応する他の前記合成色成分の前記マスク用色成分と位相がずれているような、巡回的表示シーケンスを有することを特徴とする請求項８に記載の画像変更装置。
【請求項１２】
前記基礎画像を抽出する手段は、前記合成画像のそれぞれの前記マスク用色成分を前記視認者による視認から遮断するように同期した少なくとも１つのカラーフィルタを含むことを特徴とする請求項１に記載の画像変更装置。
【請求項１３】
前記ディスプレイ上に積層画像を生成する手段を含み、前記積層画像は、前記特徴の無い合成画像上に積層されているように見える肉眼に対して可視の画像を生成するために、積層色成分に対応する前記合成色成分と時間多重化される少なくとも１つの前記積層色成分を有することを特徴とする請求項３に記載の画像変更装置。
【請求項１４】
前記積層画像は、それぞれの前記画素に対応する複数の積層色成分を含み、前記積層画像の少なくとも１つの前記積層色成分は、同一の前記画素に対応する残りの前記積層色成分と位相をずらして表示されることを特徴とする請求項１３に記載の画像変更装置。
【請求項１５】
前記複数の画素は、前記ディスプレイの一部のみを覆うことを特徴とする請求項１に記載の画像変更装置。
【請求項１６】
それぞれの前記画素に対応する前記複数の合成色成分は、次の表に従って決定される巡回的表示シーケンスを有し、
【表１】
2004537763.tif 000001
ａ．  ここで、ＲF、ＧF、およびＢFは、前記基礎画像の赤、緑、および青の色にそれぞれ対応する前記色成分を表し、
ｂ．  ＲI、ＧI、およびＢIは、それぞれ前記色成分ＲF、ＧF、およびＢFの、対応する赤、緑、青の前記反転色成分を表す
ことを特徴とする請求項３に記載の画像変更装置。
【請求項１７】
前記特徴の無い合成画像から前記基礎画像を抽出する手段は、前記合成色成分の前記表示シーケンスと同期して、前記特徴の無い合成画像のそれぞれの前記反転色成分を前記視認者による視認から遮断する赤、緑、および青のカラーフィルタを含むことを特徴とする請求項１６に記載の画像変更装置。
【請求項１８】
それぞれの前記画素に対応する前記複数の合成色成分は、次の表に従って決定される巡回的表示シーケンスを有し、
【表２】
2004537763.tif 000002
ａ．  ここで、ＲF、ＧF、およびＢFは、前記基礎画像の赤、緑、および青の色にそれぞれ対応する前記色成分を表し、
ｂ．  ＲI、ＧI、およびＢIは、それぞれ前記色成分ＲF、ＧF、およびＢFの、対応する赤、緑、青の前記反転色成分を表す
ことを特徴とする請求項３に記載の画像変更装置。
【請求項１９】
前記特徴の無い合成画像から前記基礎画像を抽出する手段は、前記合成色成分の前記表示シーケンスと同期して、前記特徴の無い合成画像のそれぞれの前記反転色成分を前記視認者による視認から遮断する黄、マゼンタ、およびシアンのカラーフィルタを含むことを特徴とする請求項１８に記載の画像変更装置。
【請求項２０】
それぞれの前記画素に対応する前記複数の合成色成分は、次の表に従って決定される巡回的表示シーケンスを有し、
【表３】
2004537763.tif 000003
ａ．  ここで、ＲF、ＧF、およびＢFは、前記基礎画像の赤、緑、および青の色にそれぞれ対応する前記色成分を表し、
ｂ．  ＲI、ＧI、およびＢIは、それぞれ前記色成分ＲF、ＧF、およびＢFの、対応する赤、緑、青の前記反転色成分を表す
ことを特徴とする請求項３に記載の画像変更装置。
【請求項２１】
前記基礎画像を抽出する手段は、前記合成色成分の前記表示シーケンスと同期して交互に切り替り、前記特徴の無い合成画像の前記反転色成分を前記視認者による視認から遮断するマゼンタのカラーフィルタおよび緑のカラーフィルタを含むことを特徴とする請求項２０に記載の画像変更装置。
【請求項２２】
それぞれの前記画素に対応する前記複数の合成色成分は、次の表に従って決定される巡回的表示シーケンスを有し、
【表４】
2004537763.tif 000004
ａ．  ここで、ＲF、ＧF、およびＢFは、前記基礎画像の赤、緑、および青の色にそれぞれ対応する前記色成分を表し、
ｂ．  ＲI、ＧI、およびＢIは、それぞれ前記色成分ＲF、ＧF、およびＢFの、対応する赤、緑、青の前記反転色成分を表す
ことを特徴とする請求項３に記載の画像変更装置。
【請求項２３】
前記基礎画像を抽出する手段は、前記合成色成分の前記表示シーケンスと同期して交互に切り替り、前記特徴の無い合成画像の前記反転色成分を前記視認者による視認から遮断する黄のカラーフィルタおよび青のカラーフィルタを含むことを特徴とする請求項２２に記載の画像変更装置。
【請求項２４】
それぞれの前記画素に対応する前記複数の合成色成分は、次の表に従って決定される巡回的表示シーケンスを有し、
【表５】
2004537763.tif 000005
ａ．  ここで、ＲF、ＧF、およびＢFは、前記基礎画像の赤、緑、および青の色にそれぞれ対応する前記色成分を表し、
ｂ．  ＲI、ＧI、およびＢIは、それぞれ前記カラーデータ成分ＲF、ＧF、およびＢFの、対応する赤、緑、青の前記反転色成分を表す
ことを特徴とする請求項３に記載の画像変更装置。
【請求項２５】
前記基礎画像を抽出する手段は、前記合成色成分の前記表示シーケンスと同期して交互に切り替り、前記特徴の無い合成画像の前記反転色成分を前記視認者による視認から遮断するシアンのカラーフィルタおよび赤のカラーフィルタを含むことを特徴とする請求項２４に記載の画像変更装置。
【請求項２６】
前記特徴の無い合成画像上に積層されているように見える肉眼に対して可視の積層画像を生成する手段を含み、前記積層画像は、それぞれの前記画素に対応するそれぞれの前記合成色成分と時間多重化される対応する積層色成分を有し、それぞれの前記画素に対応する前記複数の合成色成分および対応する積層色成分は、次の表に従って決定される巡回的表示シーケンスを有し、
【表６】
2004537763.tif 000006
ａ．  ここで、ＲF、ＧF、およびＢFは、前記基礎画像の赤、緑、および青の色にそれぞれ対応する前記色成分を表し、
ｂ．  ＲI、ＧI、およびＢIは、それぞれ前記色成分ＲF、ＧF、およびＢFの、対応する赤、緑、青の前記反転色成分を表し、
ｃ．  ＲO、ＧO、およびＢOは、前記積層画像の、それぞれ赤、緑、青の積層色成分に対応する前記積層色成分を表す
ことを特徴とする請求項３に記載の画像変更装置。
【請求項２７】
前記基礎画像を変更する手段は、前記合成画像を表す合成画像信号を生成可能な電子回路を含み、前記合成画像信号は、カラーデータ成分に対応する少なくとも１つの反転カラーデータ成分と時間多重化される少なくとも１つの前記カラーデータ成分からなる複数の合成カラーデータ成分を有し、それぞれの前記カラーデータ成分および前記対応する反転カラーデータ成分は、前記合成画像の１つの前記色成分および対応する前記反転色成分をそれぞれ表すことを特徴とする請求項３に記載の画像変更装置。
【請求項２８】
それぞれの前記反転カラーデータ成分は、前記合成画像信号の前記画素への送信によって前記ディスプレイ上に前記特徴の無い合成画像が生成されるように、前記対応するカラーデータ成分の大きさの関数として決定される大きさを有していることを特徴とする請求項２７に記載の画像変更装置。
【請求項２９】
前記特徴の無い合成画像上に積層画像を生成する手段を含み、それぞれの前記画素に対応するそれぞれの前記合成カラーデータ成分は、同一の前記画素に対応する他の積層カラーデータ成分に対して順次的に前記画素に送信される、対応する前記積層カラーデータ成分を有することを特徴とする請求項２７に記載の画像変更装置。
【請求項３０】
少なくとも１つの前記積層カラーデータ成分は、常に同一の前記画素に対応する残りの前記積層カラーデータ成分と位相をずらしてそれぞれの前記画素に送信されることを特徴とする請求項２９に記載の画像変更装置。
【手続補正２】
【補正対象書類名】明細書
【補正対象項目名】発明の名称
【補正方法】変更
【補正の内容】
【発明の名称】基礎表示画像の機密保護下での視認を提供するための順次式反転暗号化装置
【手続補正３】
【補正対象書類名】明細書
【補正対象項目名】００３８
【補正方法】変更
【補正の内容】
【００３８】
図２に示すように、ライン２９上の赤のデジタル基礎カラーデータ成分ＶFRの入力は、ライン３８で示すように処理されずにＤＳＰ３１を通過するか、または、ライン３９で示すように反転演算が施されて、入力デジタル信号がモニターガンマを考慮した次に示す反転公式に従って処理される。
Ｖinv＝［Ｖmaxγ−（Ｖfund＋Ｖoff）γ］(1/γ)
ここで、Ｖinvは反転電圧、Ｖmaxは最大信号電圧、Ｖfundは基礎カラーデータ成分の電圧、Ｖoffはモニターの黒レベルに合わせるためにオフセットポイントの微調整に使用されるオフセット電圧をそれぞれ示している。従来のＣＲＴディスプレイでは、ガンマ係数値は、通常２．３５〜２．５５の範囲にある。
【手続補正４】
【補正対象書類名】明細書
【補正対象項目名】００４０
【補正方法】変更
【補正の内容】
【００４０】
したがって、同期コントローラ１３のシーケンスロジックが、赤の基礎カラーデータ成分を変更せずに通過させることを要求した場合、入力デジタルデータＶFRは、ライン３８を通過してライン４１上のＶoutRとしてＤＡＣ３５に出力される。他方、同期コントローラ１３が、ＤＳＰ３１に対して、上式に従って赤の入力カラーデータ成分を反転するように要求した場合（すなわち、ＶoutR＝ＶIR）、サンプリングされたデータはライン３９に沿って分岐し、そこで入力データの実時間デジタル反転が実施された後、ライン４１に沿ってＤＡＣ３５に出力される。このようにして、同期コントローラ１３によって設定される表示シーケンスに応じて、赤用ＤＳＰ３１は、垂直同期ライン１５を介して同期コントローラ１３に入力される垂直同期パルスに同期して、入力基礎カラーデータ成分を通過させるかまたは反転処理を実行する。    
【手続補正５】
【補正対象書類名】図面
【補正対象項目名】図２
【補正方法】変更
【補正の内容】
【図２】
2004537763.tif 000007
【手続補正６】
【補正対象書類名】図面
【補正対象項目名】図５
【補正方法】変更
【補正の内容】
【図５】
2004537763.tif 000008